【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
光源と、
アレイ状に配列された複数の微小ミラーの上記光源からの光に対する各傾斜角度を制御して反射光により光像を形成するミラー素子を駆動し、入力される画像信号に対応した光像を光学レンズ系を介して投影対象に向けて投影する投影手段と、
上記光源とは別に設けられ、上記光学レンズ系を介して光を出射させるように配置した発光手段と、
上記発光手段での発光で上記光学レンズ系を介して上記投影対象から得られる反射光を受信する受光手段と、
上記発光手段での発光と上記受光手段で受信した反射光の時間差を検出することにより上記投影対象までの距離を測定する測距手段と、
上記測距手段で得た距離により上記投影手段での投影条件を制御する制御手段と
を具備したことを特徴とする投影装置。
【請求項２】
上記発光手段は、上記ミラー素子の微小ミラーが光源からの光を上記光学レンズ系の外部に反射させる傾斜角度にある状態で、前記微小ミラーへ光を入射させ、その反射光を上記光学レンズ系を介して出射させることを特徴とする請求項１記載の投影装置。
【請求項３】
上記発光手段は、変調された光を入射させ、
上記測距手段は、上記発光手段での発光と上記受光手段で受信した反射光の反射光の位相差から時間差を検出することにより上記投影対象までの距離を測定する
ことを特徴とする請求項１または２記載の投影装置。
【請求項４】
上記発光手段は、上記ミラー素子の異なる微小ミラー位置へ入射させる複数の発光部を有し、
上記測距手段は、上記発光手段の複数の発光部での発光と上記受光手段での受光の時間差を検出することにより上記投影対象の複数位置までの各距離を測定する
ことを特徴とする請求項２または３記載の投影装置。
【請求項５】
上記投影手段の光学レンズ系は、投影画角を可変するズーム機能を有し、
上記発光手段は、上記光学レンズ系による複数の投影画角でそれぞれ発光部により発光させ、
上記測距手段は、上記光学レンズ系による複数の投影画角で上記発光手段の発光部での発光と上記受光手段での受光の時間差を検出することにより上記投影対象の複数位置までの各距離を測定する
ことを特徴とする請求項１乃至４のいずれか一項記載の投影装置。
【請求項６】
上記発光手段は、レーザ光を発振するレーザ発振部と発振されたレーザ光を平行光に変換するコリメータレンズとを有することを特徴とする請求項１乃至５のいずれか一項記載の投影装置。
【請求項７】
上記制御手段は、上記発光手段での発光時に上記ミラー素子による光像の形成を一時的に停止させることを特徴とする請求項１乃至６のいずれか一項記載の投影装置。
【請求項８】
上記制御手段は、上記発光手段での発光時に、上記ミラー素子を構成する複数の微小ミラー中、上記発光手段からの発光が照射される位置にある微小ミラーのみ光像の形成を一時的に停止させることを特徴とする請求項２乃至６のいずれか一項記載の投影装置。
【請求項９】
光源と、アレイ状に配列された複数の微小ミラーの上記光源からの光に対する各傾斜角度を制御して反射光により光像を形成するミラー素子を駆動し、入力される画像信号に対応した光像を光学レンズ系を介して投影対象に向けて投影する投影部とを備えた投影装置での制御方法であって、
上記光源とは別に設けられ、上記光学レンズ系を介して光を出射させるように配置した発光部を駆動する発光工程と、
上記発光工程での発光で上記光学レンズ系を介して上記投影対象から得られる反射光を受信する受光工程と、
上記発光工程での発光と上記受光工程で受信した反射光の時間差を検出することにより上記投影対象までの距離を測定する測距工程と、
上記測距工程で得た距離により上記投影部での投影条件を制御する制御工程と
を有したことを特徴とする投影制御方法。
【手続補正２】
【補正対象書類名】明細書
【補正対象項目名】０００５
【補正方法】変更
【補正の内容】
【０００５】
請求項１記載の発明は、光源と、アレイ状に配列された複数の微小ミラーの上記光源からの光に対する各傾斜角度を制御して反射光により光像を形成するミラー素子を駆動し、入力される画像信号に対応した光像を光学レンズ系を介して投影対象に向けて投影する投影手段と、上記光源とは別に設けられ、上記光学レンズ系を介して光を出射させるように配置した発光手段と、上記発光手段での発光で上記光学レンズ系を介して上記投影対象から得られる反射光を受信する受光手段と、上記発光手段での発光と上記受光手段で受信した反射光の時間差を検出することにより上記投影対象までの距離を測定する測距手段と、上記測距手段で得た距離により上記投影手段での投影条件を制御する制御手段とを具備したことを特徴とする。
請求項２記載の発明は、上記請求項１記載の発明において、上記発光手段は、上記ミラー素子の微小ミラーが光源からの光を上記光学レンズ系の外部に反射させる傾斜角度にある状態で、前記微小ミラーへ光を入射させ、その反射光を上記光学レンズ系を介して出射させることを特徴とする。
請求項３記載の発明は、上記請求項１または２記載の発明において、上記発光手段は、変調された光を入射させ、上記測距手段は、上記発光手段での発光と上記受光手段で受信した反射光の反射光の位相差から時間差を検出することにより上記投影対象までの距離を測定することを特徴とする。
【手続補正３】
【補正対象書類名】明細書
【補正対象項目名】０００６
【補正方法】変更
【補正の内容】
【０００６】
請求項４記載の発明は、上記請求項２または３記載の発明において、上記発光手段は、上記ミラー素子の異なる微小ミラー位置へ入射させる複数の発光部を有し、上記測距手段は、上記発光手段の複数の発光部での発光と上記受光手段での受光の時間差を検出することにより上記投影対象の複数位置までの各距離を測定することを特徴とする。
【手続補正４】
【補正対象書類名】明細書
【補正対象項目名】０００７
【補正方法】変更
【補正の内容】
【０００７】
請求項５記載の発明は、上記請求項１乃至４のいずれか一項記載の発明において、上記投影手段の光学レンズ系は、投影画角を可変するズーム機能を有し、上記発光手段は、上記光学レンズ系による複数の投影画角でそれぞれ発光部により発光させ、上記測距手段は、上記光学レンズ系による複数の投影画角で上記発光手段の発光部での発光と上記受光手段での受光の時間差を検出することにより上記投影対象の複数位置までの各距離を測定することを特徴とする。
【手続補正５】
【補正対象書類名】明細書
【補正対象項目名】０００８
【補正方法】変更
【補正の内容】
【０００８】
請求項６記載の発明は、上記請求項１乃至５のいずれか一項記載の発明において、上記発光手段は、レーザ光を発振するレーザ発振部と発振されたレーザ光を平行光に変換するコリメータレンズとを有することを特徴とする。
【手続補正６】
【補正対象書類名】明細書
【補正対象項目名】０００９
【補正方法】変更
【補正の内容】
【０００９】
請求項７記載の発明は、上記請求項１乃至６のいずれか一項記載の発明において、上記制御手段は、上記発光手段での発光時に上記ミラー素子による光像の形成を一時的に停止させることを特徴とする。
【手続補正７】
【補正対象書類名】明細書
【補正対象項目名】００１０
【補正方法】変更
【補正の内容】
【００１０】
請求項８記載の発明は、上記請求項２乃至６のいずれか一項記載の発明において、上記制御手段は、上記発光手段での発光時に、上記ミラー素子を構成する複数の微小ミラー中、上記発光手段からの発光が照射される位置にある微小ミラーのみ光像の形成を一時的に停止させることを特徴とする。
【手続補正８】
【補正対象書類名】明細書
【補正対象項目名】００１１
【補正方法】変更
【補正の内容】
【００１１】
請求項９記載の発明は、光源と、アレイ状に配列された複数の微小ミラーの上記光源からの光に対する各傾斜角度を制御して反射光により光像を形成するミラー素子を駆動し、入力される画像信号に対応した光像を光学レンズ系を介して投影対象に向けて投影する投影部とを備えた投影装置での制御方法であって、上記光源とは別に設けられ、上記光学レンズ系を介して光を出射させるように配置した発光部を駆動する発光工程と、上記発光工程での発光で上記光学レンズ系を介して上記投影対象から得られる反射光を受信する受光工程と、上記発光工程での発光と上記受光工程で受信した反射光の時間差を検出することにより上記投影対象までの距離を測定する測距工程と、上記測距工程で得た距離により上記投影部での投影条件を制御する制御工程とを有したことを特徴とする。